(57)【要約】      （修正有）【課題】二層の商品収容空間を設置するため、多人数でプレーできる二層クレーンゲーム機を提供する。【解決手段】二層クレーンゲーム機は機体１０、２個のレール組２０、少なくとも２組以上のクレーンキャッチ爪組３０を備え、機体１０内には上層空間１１と下層空間１２を設置し、該上層空間には上商品落下口と取り出し口を設置し、該下層空間には、下商品落下口と取り出し口を設置し、該機体前側には操作台を設置し、該操作台上には操作レバーと操作ボタンを設置し、さらに該操作台上には上選択ボタンと下選択ボタンを設置し、レール組２０は機体１０の上層空間１１と下層空間１２の上方にクレーンキャッチ爪組３０を設置し、クレーンキャッチ爪組３０はレール組２０上に設置され、クレーンキャッチ爪組３０は操作台１３上に設置する操作レバー１３１と操作ボタンの制御を受け、レール組２０上で水平移動とキャッチを行う。【選択図】図２
0003206536.tif 000002
【実用新案登録請求の範囲】
【請求項１】
二層クレーンゲーム機は、機体、２個のレール組、少なくとも２組以上のクレーンキャッチ爪組を備え、
該機体内には、上層空間と下層空間を設置し、
該上層空間には上商品落下口を設置し、該機体前側には、該上層空間に設けられた上商品落下口に連通する上商品取り出し口を設置し、
該下層空間には下商品落下口を設置し、該機体前側には、該下商品落下口に連通する下商品取り出し口を設置し、
さらに、機体前側には、操作台を設置し、該操作台上には、操作レバーと操作ボタンとを設置し、
しかも該操作台上には上選択ボタンと下選択ボタンを設置し、
上選択ボタン或いは下選択ボタンを選択し、該操作レバーと操作ボタンで上層空間のクレーンキャッチ爪組或いは下層空間のクレーンキャッチ爪組を制御し、さらに該操作台上には料金投入口を設置し、
さらに、該上商品落下口と下商品落下口内には係止片を設置し、しかも上商品取り出し口と下商品取り出し口にはシャッターを内側へと開けるシャッターを設置し、
該レール組は、該機体の上層空間と下層空間の上方に、クレーンキャッチ爪組を設置し、
該クレーンキャッチ爪組は、クレーンとキャッチ爪を備え、該クレーンは、該上層空間と該下層空間上方に設置するレール組上に設置され、該上層空間のクレーンキャッチ爪組は、該操作台の上選択ボタンと電気的に連接し、該下層空間のクレーンキャッチ爪組は、該操作台の下選択ボタンと電気的に連接し、しかも該上層空間と該下層空間のクレーンキャッチ爪組は、該操作台上に設置する操作レバーと操作ボタンの制御を受け、該レール組上で水平移動し商品をキャッチすることを特徴とする二層クレーンゲーム機。
【考案の詳細な説明】
【技術分野】
【０００１】
本考案は二層クレーンゲーム機に関し、特に二層の商品収容空間を設置するため、多人数でプレーできる二層クレーンゲーム機に関する。
【背景技術】
【０００２】
現在市場で見られるクレーンゲーム機は、機体を透明の板で囲み収容設置空間を形成する。
該収容設置空間上には、レールを設置し、該レール上にはクレーンを設置する。
該クレーン下方には、キャッチ爪を設置する。
該機体前方には、操作レバーと操作ボタンを設置する。
該操作レバーは、クレーンの移動方向を制御し、該キャッチ爪はクレーンに従い、レール上を水平に移動し位置を変えることができる。
該操作ボタンは、キャッチ爪のつかみ取りをコントロールする。
これにより、プレーヤーは狙った位置の商品をキャッチでき、こうして高度な趣味性を自主性を備えたクレーンゲームを提供することができる。
【０００３】
しかし、従来のクレーンゲーム機には、１個の収容設置空間、１個のクレーン、１個のキャッチ爪しか設置されていない。
そのため、操作しプレーできる人は一人だけであり、多人数で同時にプレーできず単調で面白みに欠け、競争できないという欠点があった。
業者は複数台のクレーンゲーム機を並べて設置し、たくさんの人がプレーできるようにしてはいるが、これでは設置のためにより大きな空間が必要であるばかりか、より高い電力負荷が必要で、空間と電気エネルギーを浪費している。
本考案は、従来のクレーンゲーム機の上記した欠点に鑑みてなされたものである。
【先行技術文献】
【特許文献】
【０００４】
【特許文献１】特開2005-80940号公報
【考案の概要】
【考案が解決しようとする課題】
【０００５】
本考案が解決しようとする課題は、二層の商品収容空間を設置するため、多人数でプレーでき、従来のクレーンゲーム機が備える欠点を改善できるクレーンゲーム機を提供することである。
【課題を解決するための手段】
【０００６】
上記課題を解決するため、本考案は下記の二層クレーンゲーム機を提供する。二層クレーンゲーム機は、機体、２個のレール組、少なくとも２組以上のクレーンキャッチ爪組を設置し、
該機体内には、上層空間と下層空間を設置し、該機体内の、該上層空間には上商品落下口を設置し、該機体前側には、該上層空間に設けられた上商品落下口に連通する上商品取り出し口を設置し、
該下層空間には下商品落下口を設置し、該機体前側には、該下商品落下口に連通する下商品取り出し口を設置し、
さらに、機体前側には、操作台を設置し、該操作台上には、操作レバーと操作ボタンとを設置し、
しかも該操作台上には上選択ボタンと下選択ボタンを設置し、
さらに該操作台上には料金投入口を設置し、
さらに、該上商品落下口と下商品落下口内には係止片を設置し、しかも上商品取り出し口と下商品取り出し口にはシャッターを内側へと開けるシャッターを設置し、
該レール組は、該機体の上層空間と下層空間の上方に、クレーンキャッチ爪組を設置し、
該クレーンキャッチ爪組は、クレーンとキャッチ爪を備え、該クレーンは、該上層空間と該下層空間上方に設置するレール組上に設置され、該上層空間のクレーンキャッチ爪組は、該操作台の上選択ボタンと電気的に連接し、該下層空間のクレーンキャッチ爪組は、該操作台の下選択ボタンと電気的に連接し、しかも該上層空間と該下層空間のクレーンキャッチ爪組は、該操作台上に設置する操作レバーと操作ボタンの制御を受け、該レール組上で水平移動し商品をキャッチし、
上述の構造により、二層の設置空間を設置するため、多人数でプレーすることができる。
【考案の効果】
【０００７】
本考案の二層クレーンゲーム機は、業者はさまざまな種類の商品を入れることができ、プレーヤーに多様な選択を提供し、しかも同時に二人でプレーできるため、数人で楽しみ、また競争できるという効果を達成することができる。
【図面の簡単な説明】
【０００８】
【図１】本考案の立体図である。
【図２】本考案の前視図である。
【図３】本考案の側視図である。
【図４】本考案の側視図、及び上層空間のクレーンキャッチ爪組を利用してつかみ取った商品が落下する通路の模式図である。
【図５】本考案の側視図、及び下層空間のクレーンキャッチ爪組みを利用してつかみ取った商品が落下する通路の模式図である。
【図６】本考案のシャッターが係止片の係止を受け前通路と後通路を封鎖する模式図である。
【図７】４組の設置空間と４組のクレーンキャッチ爪組を設置する本考案第二実施形態の前視図である。
【考案を実施するための形態】
【０００９】
以下に図面を参照しながら本考案を実施するための最良の形態について詳細に説明する。
【００１０】
図１〜図４は第一実施形態を示し、図５〜図６は第二実施形態を示し、図７は第三実施形態を示す。
【００１１】
図１、２に示すように、本実施形態のクレーンゲーム機は、機体１０、２個のレール組２０、少なくとも２組以上のクレーンキャッチ爪組３０を備える。
【００１２】
該機体１０（同時に図３参照）内には、上層空間１１と下層空間１２を設置する。
【００１３】
該上層空間１１には上商品落下口１１１を設置する。
【００１４】
該機体１０前側には、該上層空間１１に設けられた上商品落下口１１１に連通する上商品取り出し口１１２を設置する。
【００１５】
該下層空間１２には下商品落下口１２１を並設する。
【００１６】
該機体１０前側には、該下商品落下口１２１に連通する下商品取り出し口１２２を設置する。
【００１７】
さらに、該機体１０前側には、操作台１３を設置し、該操作台１３上には、操作レバー１３１と操作ボタン１３２とを設置する。
【００１８】
しかも該操作台１３上には、上選択ボタン１４Ａと下選択ボタン１４Ｂとを設置し、該操作台１３上には、料金投入口１５を設置する。
【００１９】
また、該上商品落下口１１１と該下商品落下口１２１内には係止片１６を設置する。
【００２０】
しかも該上商品取り出し口１１２と該下商品取り出し口１２２にはそれぞれ内側へと開けるシャッター１７を設置する。
【００２１】
該シャッター１７の底端は、該係止片１６末端に回転して対応し、これにより該シャッター１７は開かれた後、係止片１６の係止を受けて停止する。
【００２２】
該レール組２０（同時に図３参照）は、該機体１０の上層空間１１と下層空間１２の上方には、クレーンキャッチ爪組３０を設置する。
【００２３】
該クレーンキャッチ爪組３０（同時に図３参照）は、クレーン３１とキャッチ爪３２を備え、該クレーン３１は、該上層空間１１と該下層空間１２上方に設置するレール組２０上に設置される。
【００２４】
該上層空間３０のクレーンキャッチ爪組３０は、該操作台１３の上選択ボタン１４Ａと電気的に連接し、該下層空間１２のクレーンキャッチ爪組３０は、該操作台１３の下選択ボタン１４Ｂと電気的に連接する。
【００２５】
しかも、該上層空間３０と該下層空間１２のクレーンキャッチ爪組３０は、該操作台１３上に設置する操作レバー１３１と操作ボタン１３２の制御を受け、該レール組２０上で水平移動し商品をキャッチする。
【００２６】
図１〜図３に示す第一実施形態では、該上層空間１１に、１組のレール組２０とクレーンキャッチ爪組３０を設置し、該下層空間１２にも同様に、１組のレール組２０とクレーンキャッチ爪組３０を設置し、
該上層空間１１には、上商品落下口１１１と上商品取り出し口１１２を設置し、該下層空間１２には、下商品落下口１２１と下商品取り出し口１２２を設置する。
しかも該操作台１３上には、１個の操作レバー１３１と１個の操作ボタン１３２を設置する。
【００２７】
上述の構造により、使用者は硬貨（或いはメダル）を料金投入口１５に投入後、好みに応じて、上選択ボタン１４Ａ（或いは下選択ボタン１４B）を押して、上層空間１１（或いは下層空間１２）を選択し、使用者は操作レバー１３１と操作ボタン１３２を利用し、上層空間１１に設置するクレーンキャッチ爪組４０（或いは下層空間１２に設置するクレーンキャッチ爪組４０）のクレーン３１を操作し、レール組２０上で狙った位置まで移動させた後、操作ボタン１３２を利用し、キャッチ爪３２を制御して、商品をつかみ取ることができる。
【００２８】
続いて、該クレーン３１は上商品落下口１１１（或いは下商品落下口１２１）上方へと移動し、キャッチ爪３２は商品をリリースすると、該商品は上商品落下口１１１（或いは下商品落下口１２１）を通って上商品取り出し口１１２（或いは下商品取り出し口１２１）へ落下し、使用者はシャッター１７を内側へとめくり開ければ、商品をつかみ取ることができる。
【００２９】
また、図４に示すように、泥棒が該上商品取り出し口１１２或いは該下商品取り出し口１２２から機体１０内の商品を盗もうとしても、上商品取り出し口１１２と下商品取り出し口１２２には、それぞれシャッター１７を設置し、該シャッターを内側へめくろうとしても、係止片１６の係止を受け、それ以上はめくり開けることができず、上商品落下口１１１と下商品落下口１２１を封鎖してしまうため、泥棒は機体１０内の商品を盗み取ることはできず、商品の安全を維持することができる。
【００３０】
また、図５、６に示す第二実施形態では、本考案の上層空間１１には隔板１１３とレール組２０を設置し、該レール組２０上には２個のクレーンキャッチ爪組３０を設置し、下層空間１２にも同様に、隔板１２３とレール組２０を設置する。
【００３１】
該レール組２０上には、２個のクレーンキャッチ爪組３０を設置し、四つの設置空間を形成する。
【００３２】
しかも、該上層空間１１前側中央には上商品落下口１１１と上商品取り出し口１１２を設置し、該下層空間１２の左、右両側には、下商品落下口１２１と下商品取り出し口１２２を設置する。
【００３３】
同時に、該操作台１３の左、右両辺には、操作レバー１３１と操作ボタン１３２とをそれぞれ設置し、しかも操作台１３の左、右両辺には、上選択ボタン１４Ａと下選択ボタン１４Ｂをそれぞれ設置し、該操作台１３上には、２個の料金投入口１５を設置し、使用者に多様な選択を提供する。
【００３４】
しかも同時に二人でプレーできるため、数人で楽しみ、また競争できるという効果を達成することができる。
【００３５】
さらに、図７に示す第三実施形態では、本考案の上層空間１１にはレール組２０を設置し、該レール組２０上にはクレーンキャッチ爪組３０を設置し、下層空間１２にも同様に、隔板１２３とレール組２０を設置する。
【００３６】
該レール組２０上には、２個のクレーンキャッチ爪組３０を設置し、四つの設置空間を形成する。
【００３７】
しかも、該上層空間１１前側中央には上商品落下口１１１と上商品取り出し口１１２を設置し、該下層空間１２の左、右両辺には、下商品落下口１２１と下商品取り出し口１２２を設置する。
【００３８】
同時に、該操作台１３の左、右両辺には、操作レバー１３１と操作ボタン１３２とをそれぞれ設置し、しかも操作台１３の左、右両辺には、上選択ボタン１４Ａと下選択ボタン１４Ｂをそれぞれ設置し、該操作台１３上には、２個の料金投入口１５を設置し、使用者に多様な選択を提供する。
【００３９】
しかも同時に二人でプレーできるため、数人で楽しみ、また競争できるという効果を達成することができる。
【００４０】
上述した設計により、本考案は以下の長所を備える。
（一）本考案で機体１０内に上、下層空間１１、１２を設置し、２組のクレーンキャッチ爪組３０を設置すると、業者はさまざまな種類の商品を入れることができ、使用者に多様な選択を提供できるほか、２台のゲーム機を設置する必要がないため、スペースの浪費と電気エネルギーの耗損を節減できる。
（二）本考案の上、下層空間１１、１２にそれぞれ隔板を設置し、内部に２組のクレーンキャッチ爪組３０を設置すると、４個の収容設置空間が設置され、機体１０の操作台上には２組の操作レバー１３１と操作ボタン１３２を設置し、より多くの商品を入れられ、プレーヤーの選択を増やせ、しかもプレーヤーは二人同時にゲームが行え、競争競技、一緒に楽しめる面白みを達成できる。
（三）本考案の上商品取り出し口１１２と下商品取り出し口１２２には、内側へと開けるシャッター１７をそれぞれ設置し、上商品落下口１１１と下商品落下口１２１内には、係止片１６を設置し、シャッター１７を内側へと高くめくり開けると、係止片１６の係止を受けそれ以上はめくり開けられず、上商品落下口１１１と下商品落下口１２１を封鎖するため、機体１０内の商品の盗難を防止できる。
【００４１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４３】
１０    機体
１１    上層空間
１１１  上商品落下口
１１２  上商品取り出し口
１２    下層空間
１２１  下商品落下口
１２２  下商品取り出し口
１２３  隔板
１３    操作台
１３１  操作レバー
１３２  操作ボタン
１４Ａ  上選択ボタン
１４Ｂ  下選択ボタン
１５    料金投入口
１６    係止片
１７    シャッター
２０    レール組
３０    クレーンキャッチ爪組
３１    クレーン
３２    キャッチ爪
４０    透明板
【図１】
0003206536.tif 000003
【図２】
0003206536.tif 000004
【図３】
0003206536.tif 000005
【図４】
0003206536.tif 000006
【図５】
0003206536.tif 000007
【図６】
0003206536.tif 000008
【図７】
0003206536.tif 000009